(57)【要約】【課題】床パン本体の温度が下がり難い真空断熱床パンを提供する。【解決手段】浴室に設置される床パン本体３と、床パン本体３の下面に設けられる真空断熱部２と、を備える真空断熱床パン１であって、真空断熱部２は、床パン本体３の下面に設けられ内部に上下方向に貫通する孔を有する環状をしたフレーム部２１と、フレーム部２１の下部に設けられる面板部２２と、フレーム部２１と床パン本体３と面板部２２とで密閉される内部空間２３と、内部空間２３の床パン本体３と面板部２２との間に介在する補強リブ２４と、フレーム部２１又は面板部２２に形成され内部空間２３に連通する吸気孔２１ａと、吸気孔２１ａを閉塞する栓４と、を備え、吸気孔２１ａを介して内部空間２３が減圧されて真空又は減圧状態が保持可能であることを特徴とする。【選択図】図１
2014080727.tif 000002
【特許請求の範囲】
【請求項１】
浴室に設置される床パン本体と、前記床パン本体の下面に設けられる真空断熱部と、を備える真空断熱床パンであって、
前記真空断熱部は、前記床パン本体の下面に設けられ内部に上下方向に貫通する孔を有する環状をしたフレーム部と、
前記フレーム部の下部に設けられる面板部と、
前記フレーム部と前記床パン本体と前記面板部とで密閉される内部空間と、
前記内部空間の前記床パン本体と前記面板部との間に介在する補強リブと、
前記フレーム部又は面板部に形成され前記内部空間に連通する吸気孔と、
前記吸気孔を閉塞する栓と、を備え、
前記吸気孔を介して前記内部空間が減圧されて真空又は減圧状態が保持可能であることを特徴とする真空断熱床パン。
【請求項２】
前記補強リブが前記内部空間を複数に仕切ることにより形成される房と、
前記補強リブにより仕切られる両側の前記房を連通し前記補強リブに設けられる連通口と、を備えることを特徴とする請求項１記載の真空断熱床パン。
【請求項３】
前記面板部に前記吸気孔が設けられることを特徴とする、請求項１乃至請求項２記載の真空断熱床パン。
【発明の詳細な説明】
【技術分野】
【０００１】
本発明は、床パンに関するものである。
【背景技術】
【０００２】
従来から、建物の躯体の床に設置される床パンが知られている。（例えば特許文献１参照）。
【先行技術文献】
【特許文献】
【０００３】
【特許文献１】特開２０１１−２４５０２３号公報
【発明の概要】
【発明が解決しようとする課題】
【０００４】
ところで、特許文献１に記載されている発明は、浴槽に断熱材が取付けられ、浴槽の湯が保温されていた。しかしながら、床パンの洗い場側の下面には断熱材が設けられておらず、床パンは直接床下の空気に曝されてしまうため、床パンが冷たくなってしまっていた。
【０００５】
本発明は上記従来の問題点に鑑みて発明したものであって、その目的とするところは、床パンが床下の空気に直接曝されないようにし、床パンの温度が下がり難くなる床パンを提供することを課題とするものである。
【課題を解決するための手段】
【０００６】
上記課題を解決するために、本発明は、以下のような構成とする。
【０００７】
浴室に設置される床パン本体と、前記床パン本体の下面に設けられる真空断熱部と、を備える真空断熱床パンであって、前記真空断熱部は、前記床パン本体の下面に設けられ内部に上下方向に貫通する孔を有する環状をしたフレーム部と、前記フレーム部の下部に設けられる面板部と、前記フレーム部と前記床パン本体と前記面板部とで密閉される内部空間と、前記内部空間の前記床パン本体と前記面板部との間に介在する補強リブと、前記フレーム部又は面板部に形成され前記内部空間に連通する吸気孔と、前記吸気孔を閉塞する栓と、を備え、前記吸気孔を介して前記内部空間が減圧されて真空又は減圧状態が保持可能であることを特徴とする。
【０００８】
また、前記補強リブが前記内部空間を複数に仕切ることにより形成される房と、
前記補強リブにより仕切られる両側の前記房を連通し前記補強リブに設けられる連通口と、を備えることが好ましい。
【０００９】
また、前記面板部に前記吸気孔が設けられることが好ましい。
【発明の効果】
【００１０】
本発明の真空断熱床パンは、床パン本体の温度を下がり難くすることができる。
【図面の簡単な説明】
【００１１】
【図１】（ａ）は本発明の第一実施形態の床パン本体の斜視図であり、（ｂ）は本発明の第一実施形態の真空断熱床パンを裏面から視たときの分解斜視図である。
【図２】本発明の第一実施形態の真空断熱床パンの断面図である。
【図３】（ａ）は内部空間から空気を抜いているときの栓（逆止弁）の状態を示した断面図であり、（ｂ）は内部空間から空気を抜き出し、密閉蓋を取付けた状態の栓を示した断面図である。
【図４】本発明の第二実施形態の真空断熱床パンを裏面から視たときの分解斜視図である。
【図５】本発明の第三実施形態の真空断熱床パンを裏面から視たときの斜視図である。
【発明を実施するための形態】
【００１２】
以下、本発明の第一実施形態について図１乃至図３に基いて説明する。
【００１３】
真空断熱床パン１は、床パン本体３と、床パン本体３の下面に設けられ、床パン本体３の下方からの熱伝導を妨げる真空断熱部２と、で構成されている。真空断熱部２は、フレーム部２１と、面板部２２と、を備えている。床パン本体３と真空断熱部２は、一体成形又は溶着により形成される。
【００１４】
床パン本体３は、洗い場側から浴槽側にかけて設けられていてもよく、また床パン本体３は洗い場側のみに設けられていてもよい。床パン本体３は、本実施形態では平面視矩形となっているが、形状はこれに限定されない。また、床パン本体３は合成樹脂で形成されている。
【００１５】
フレーム部２１は、上下方向に貫通する孔を有する環状に形成されている。そして、フレーム部２１は所定の厚み（高さ）を有している。本実施形態では、フレーム部２１は平面視略矩形状の環状に形成されているが、フレーム部２１の形状は特に限定されない。フレーム部２１は、合成樹脂で形成される。
【００１６】
本実施形態では、面板部２２の外郭は平面視でフレーム部２１の外郭と略同形状で形成されているが、面板部２２の形状は限定されない。また、面板部２２は合成樹脂で形成されている。
【００１７】
真空断熱床パン１は、床パン本体３の下面にフレーム部２１が取付けられ、フレーム部２１の下部に面板部２２が取付けられている。床パン本体３とフレーム部２１と面板部２２の取付けは溶着又は一体成形で行われている。床パン本体３とフレーム部２１と面板部２２とが溶着又は一体成形されると、内部に密閉された空間である内部空間２３が形成される。
【００１８】
内部空間２３は、真空断熱床パン１の断熱の機能を有している。内部空間２３の空気を抜くと、内部空間２３が減圧され、内部空間２３が真空に近い状態になるので、熱伝導率が低くなる。しかし、内部空間２３が減圧されると、大気圧により内部空間２３を覆う床パン本体３と面板部２２が変形し、真空断熱床パン１が破損してしまう。そこで、フレーム部２１には、床パン本体３と面板部２２との間に介在する補強リブ２４が設けられている。フレーム部２１に補強リブ２４が設けられたことにより、内部空間２３は複数の空間に分割され、その複数の空間の一つ一つである房２５が形成される。補強リブ２４は合成樹脂で形成される。
【００１９】
補強リブ２４には、図１（ｂ）に示すように両側の房２５に連通させて全ての房２５から空気を抜くための連通口２４ａが設けられている。本実施形態では、連通口２４ａは補強リブ２４の面板部２２側に切欠２４ｂとして設けられている。これは、切欠２４ｂが補強リブ２４の床パン本体３側に設けられたのでは、金型に射出成形をし、成形品を金型から抜く際に成形品が金型から抜けなくなってしまうため、切欠２４ｂが補強リブ２４の面板部２２側に設けられている。連通口２４ａは、補強リブ２４の長さを短くし、フレーム部２１との間に隙間を設け、その隙間を連通口２４ａとしてもよい。
【００２０】
内部空間２３を減圧させるために、本実施形態では空気を抜く吸気孔２１ａがフレーム部２１の側面に設けられる。吸気孔２１ａは、いずれかの房２５に連通する。本実施形態では、一つの吸気孔２１ａで房２５から空気が抜かれている。なお、吸気孔２１ａが連通し、吸気孔２１ａから直接真空ポンプ等により空気を抜く房２５の数は一つとは限らず、房２５の数は複数であってもよい。また、吸気孔２１ａには、栓４が取付けられる。
【００２１】
本実施形態では栓４は逆止弁４１で構成される。逆止弁４１は、図３に示すように、内部空間２３に差し込まれる挿入管４２、挿入管４２に接続されるケーシング４３、ケーシング４３の内部に一部分が挿入されスリット４４ａを有する流出管４４と、を備えている。本実施形態では、ケーシング４３には、ボール４３ａと、流出管４４の外周に取付けられる付勢手段４３ｂと、が内部に設けられているが、ケーシング４３の内部の構成は限定されない。逆止弁４１は外側の圧力が内側の圧力よりも、所定値以上小さくなると開いて気体が流出可能となるものである。
【００２２】
本実施形態の逆止弁４１について説明する。通常の状態で、図３（ａ）のように挿入管４２がボール４３ａと付勢手段４３ｂにより塞がれているので、内部空間２３は閉塞されている。作業者が、流出管４４に真空ポンプを取付けて作動させると、真空ポンプの吸引力により挿入管４２からボール４３ａが外れ、ボール４３ａが図３（ｂ）に示すように流出管４４の内部空間２３側の先端に当接する。そして、挿入管４２から吸出される内部空間２３の空気が、流出管４４のスリット４４ａから真空ポンプへと抜けていく。そして、内部空間２３が減圧され、内部空間２３が真空又は真空に近い状態になる。そして、作業者が真空ポンプを止めると、付勢手段４３ｂによりボール４３ａが押され、自動的に挿入管４２はボール４３ａにより閉塞される。さらに空気が内部空間２３に入り難くするために、流出管４４の真空ポンプと連通する流出口が、図３（ｂ）に示すようにパッキン４５を介して、流出口に設けられる雄ネジ部に、内面に雌ねじ部が形成される密閉蓋４６が螺合して密閉される。以上のような操作で、内部空間２３が減圧され、真空又は真空に近い状態を保持するために逆止弁４１は用いられる。逆止弁４１が用いられることにより、作業者は減圧する作業がし易くなる。
【００２３】
排水口５は、上面が開口した箱状の排水口箱状部５１の下面に設けられている。排水口箱状部５１は、床パン本体３の一部であり、本実施形態では、床パン本体３の縁部で長手方向略中央に設けられ、下方に突設されている。フレーム部２１の側壁部の一部は排水口箱状部５１の側面に沿ってフレーム部２１の内方へ凹んでいる。また、面板部２２も排水口箱状部５１の側面に沿ってフレーム部２１の内方へ切り欠いている。
【００２４】
以上のような構成の真空断熱床パン１が設けられることにより、床パン本体３が浴室の床下に流れる空気に直接曝されることがなくなる。そのため、床パン本体３が冷たくなり難くなり、浴室全体の温度が下がり難くなる。また、真空断熱床パン１は、内部空間２３を真空にすることにより断熱を行っている。そのため、床パン本体３に発泡ウレタンやグラスウールといった断熱材を取付けて断熱を行うよりも、熱伝導率を低くすることができる。
【００２５】
次に、第二実施形態について図４に基づいて説明する。なお、本実施形態については図１乃至図３に示す上記第一実施形態と大部分について同じであるため、同じ構成については同符号を付して説明を省略し、主に異なる部分について説明する。
【００２６】
第二実施形態では面板部２２と閉塞板部２６で、フレーム部２１の上下の開口を閉塞し、面板部２２と閉塞板部２６とフレーム部２１とを溶着した真空断熱パネルを、床パン本体３の下面に溶着又は接着により取付ける。
【００２７】
閉塞板部２６の外郭は、本実施形態では、フレーム部２１の外郭よりも大きく形成されているが、フレーム部２１の外郭と同形状であってもよく、形状は限定されない。
【００２８】
以上のような構成にすることにより、第一実施形態と同等の効果を得ることができる。
【００２９】
次に、第三実施形態について図５に基づいて説明する。なお、本実施形態については図１乃至図３に示す上記第一実施形態と図４に示す上記第二実施形態と大部分について同じであるため、同じ構成については同符号を付して説明を省略し、主に異なる部分について説明する。
【００３０】
本実施形態では、面板部２２に吸気孔２１ａが設けられる。
【００３１】
これにより、吸気孔２１ａに取付けられる栓４が、浴室の床下の下方の空間に突出するので、真空断熱床パン１を家屋に取付けた後でも、真空ポンプ等を用いて作業者が真空断熱床パン１の真空引きを行い易くなる。
【符号の説明】
【００３２】
１    真空断熱床パン
２    真空断熱部
２１  フレーム部
２１ａ  吸気孔
２２  面板部
２３  内部空間
２４  補強リブ
２４ａ  連通口
２４ｂ  切欠
２５  房
２６  閉塞板部
３    床パン本体
４    栓
５    排水口
【図１】
2014080727.tif 000003
【図２】
2014080727.tif 000004
【図３】
2014080727.tif 000005
【図４】
2014080727.tif 000006
【図５】
2014080727.tif 000007